(57)【要約】      （修正有）【課題】複数のユーザに互いに異なるコンテンツを提供するディスプレイ装置及び方法を提供する。【解決手段】マルチビューモードを通して複数のユーザに互いに異なるコンテンツを同時に提供するディスプレイ装置において、ディスプレイ装置は複数のユーザによって選択された互いに異なる複数のコンテンツを受信するために、マルチビューモードでの複数の受信部１１０と、複数の受信部１１０からのビデオデータを処理するために、マルチビューモードでのビデオ処理部と、ビデオ処理部で処理されたビデオデータをディスプレイするビデオ出力部１３１、受信部によって受信され選択されたコンテンツに対応するオーディオデータをマルチビューモードで処理するオーディオ処理部と、結果のオーディオ信号を互いに異なる複数のコンテンツをビューイングするための複数のメガネ装置に出力するオーディオ出力部１３２と、を含む。【選択図】図３
2013140354.tif 000002
【特許請求の範囲】
【請求項１】
マルチビューモードを通して複数のユーザに互いに異なるコンテンツを同時に提供するディスプレイ装置において、
前記複数のユーザによって選択された互いに異なる複数のコンテンツを受信するために、前記マルチビューモードに動作する複数の受信部と、
前記複数の受信部によって受信された前記複数のコンテンツの各々に含まれたビデオデータを処理するために、前記マルチビューモードに動作するビデオ処理部と、
前記複数のコンテンツをディスプレイするために、前記ビデオ処理部で処理されたビデオデータを受信するビデオ出力部と、
前記受信部によって受信され前記選択されたコンテンツに対応するオーディオデータを信号処理するために、マルチビューモードに動作するオーディオ処理部と、
前記信号処理されたオーディオ信号を前記互いに異なる複数のコンテンツをビューイングするための複数のメガネ装置に出力するオーディオ出力部と、を含み、
前記メガネ装置に出力される前記信号処理されたオーディオデータに関連したチャネル数と、前記受信部によって受信された前記オーディオデータに関連したチャネル数とは相違したことを特徴とするディスプレイ装置。
【請求項２】
前記オーディオ処理部は、
前記メガネ装置に無線伝送する前に、５.１チャネル又はそれ以上のチャネルに関連したオーディオデータを２チャネルのステレオオーディオデータに変換するように前記オーディオデータを信号処理することを特徴とする請求項１に記載のディスプレイ装置。
【請求項３】
前記ディスプレイ装置は、制御部を含み、
該制御部は、
シングルビューモード及び前記マルチビューモードのうち選択されたモードに従って動作し、前記マルチビューモードが選択されると、前記複数の受信部、前記ビデオ処理部及び各構成の動作を制御し、
前記マルチビューモードで処理される前記複数のコンテンツのオーディオデータが前記個数未満のオーディオ出力チャネルを有するデータであると、各オーディオデータをステレオオーディオ信号に信号処理するように前記オーディオ処理部を制御することを特徴とする請求項１に記載のディスプレイ装置。
【請求項４】
前記オーディオ出力部は、
前記複数のオーディオ信号に対応する個数で構成されることを特徴とする請求項１に記載のディスプレイ装置。
【請求項５】
前記オーディオ出力部は、
前記複数のコンテンツのオーディオ信号を個別的に伝送することを特徴とする請求項１に記載のディスプレイ装置。
【請求項６】
前記オーディオ出力部は、
無線通信プロトコールに従って、前記複数のメガネ装置と通信を行い、
前記複数のコンテンツのオーディオ信号を時分割方式で組み合わせたオーディオ信号ストリームを生成して前記複数のメガネ装置に伝送することを特徴とする請求項１に記載のディスプレイ装置。
【請求項７】
前記オーディオ出力部は、
前記複数のコンテンツのオーディオ信号を分割し、各コンテンツの映像フレームの配置パターンと同期化されたパターンで複数のタイムスロットに割り当てて前記オーディオ信号ストリームを生成することを特徴とする請求項６に記載のディスプレイ装置。
【請求項８】
前記複数のメガネ装置とペアリングして通信を行うインターフェース部を更に含み、
前記オーディオ出力部は、
前記オーディオ処理部で処理された複数のオーディオ信号ストリームを前記インターフェース部を通して前記複数のメガネ装置に各々伝送することを特徴とする請求項６または7に記載のディスプレイ装置。
【請求項９】
互いに異なる複数のコンテンツを受信するステップと、
前記複数のコンテンツの各々に含まれたビデオデータを検出して処理するステップと、
前記ビデオデータを受信して、前記複数のコンテンツを映像フレーム単位で組み合わせられるように配置してディスプレイするステップと、
前記複数のコンテンツの各々に含まれたオーディオデータを信号処理するステップと、
前記信号処理された各オーディオデータ別オーディオ信号を前記複数のコンテンツに対応する複数のメガネ装置に出力するステップと、を含み、
前記信号処理するステップは、
マルチビューモードの動作時、前記マルチビューモードで処理される各コンテンツのオーディオデータが予め設定された個数以上のオーディオ出力チャネルを有するデータであると、各オーディオデータを２チャネルのオーディオ信号に信号処理するディスプレイ装置の制御方法。
【請求項１０】
前記互いに異なる複数のコンテンツを受信するステップは、
前記マルチビューモード選択命令が入力されると、前記互いに異なる複数のコンテンツを受信し、
前記オーディオデータを信号処理するステップは、
前記マルチビューモードで処理される各コンテンツのオーディオデータが前記個数未満のオーディオ出力チャネルを有するデータであると、各オーディオデータをステレオオーディオ信号に信号処理することを特徴とする請求項９に記載のディスプレイ装置の制御方法。
【請求項１１】
前記出力するステップは、
前記複数のオーディオ信号に対応する複数のオーディオ出力部を通して前記複数のコンテンツのオーディオ信号を前記複数のコンテンツに対応する複数のメガネ装置に伝送することを特徴とする請求項９に記載のディスプレイ装置の制御方法。
【請求項１２】
前記出力するステップは、
オーディオ出力部を通して前記複数のコンテンツのオーディオ信号を個別的に伝送することを特徴とする請求項９に記載のディスプレイ装置の制御方法。
【請求項１３】
前記出力するステップは、
無線通信プロトコールに従って、前記複数のメガネ装置と通信を行うオーディオ出力部を通して前記複数のコンテンツのオーディオ信号を時分割方式で組み合わせたオーディオ信号ストリームを生成し、前記複数のメガネ装置に伝送することを特徴とする請求項９に記載のディスプレイ装置の制御方法。
【請求項１４】
前記出力するステップは、
前記オーディオ出力部を通して前記複数のコンテンツのオーディオ信号を分割し、各コンテンツの映像フレームの配置パターンと同期化されたパターンで複数のタイムスロットに割り当てて前記オーディオ信号ストリームを生成することを特徴とする請求項１３に記載のディスプレイ装置の制御方法。
【請求項１５】
前記複数のメガネ装置とペアリングして通信を行うステップを更に含み、
前記オーディオ信号を出力するステップは、
前記複数のコンテンツの各々のオーディオ信号ストリームをペアリングされた前記複数のメガネ装置に各々伝送することを特徴とする請求項１３または１４に記載のディスプレイ装置の制御方法。
【発明の詳細な説明】
【技術分野】
【０００１】
本発明は、ディスプレイ装置及び方法に関し、より詳細には、複数のユーザに互いに異なるコンテンツを提供するディスプレイ装置及び方法に関する。
【背景技術】
【０００２】
電子技術の発達に伴って様々な形の電子製品が開発及び普及されている。特に、ＴＶ、携帯、ＰＣ、ノートＰＣ、ＰＤＡなどのような各種のディスプレイ装置は大体の一般家庭においても多く使われている。
【０００３】
ディスプレイ装置の使用が増加するにつれて更に多様な機能に対するユーザニーズも増大された。これにより、ユーザニーズを満足させるための各製造メーカの努力も大きくなり、３Ｄコンテンツの提供など従来に存在しなかった新しい機能を備えた製品が続々と登場している。
【０００４】
なお、最近は複数のコンテンツを同時にディスプレイして複数のユーザが互いに異なるコンテンツを視聴することのできるディスプレイ装置に対する開発の努力が行われている。
【０００５】
このようなディスプレイ装置は互いに異なる複数のコンテンツに含まれたオーディオ信号を複数のコンテンツとマッピングされた各メガネ装置に有線又は無線で伝送する。しかし、有線伝送方式の場合には、メガネ装置の個数分だけ伝送ラインが増加するため、ディスプレイ装置とメガネ装置との間を連結する回線が増加することになり使用の不便さを招く。
【０００６】
一方、無線伝送方式でオーディオを伝送する場合、ディスプレイ装置とメガネ装置との間の特定チャネルの帯域幅は限定されており、伝送可能なオーディオデータ信号のサイズに限界がある。しかし、メガネ装置の個数が増加すると特定チャネルのオーディオデータの伝送量が増加して当該チャネルの許容可能な帯域幅を超過する問題点が発生する可能性がある。
【０００７】
このような問題点を解決するために複数のチャネルを通してディスプレイ装置とメガネ装置とを連結してオーディオ信号を伝送する場合には、特定のメガネ装置がコンテンツモード（例えば、コンテンツビューの転換）を転換する場合に、映像はすぐに転換が行われるがオーディオ信号は転換が遅延するという問題点を招く。
【先行技術文献】
【特許文献】
【０００８】
【特許文献１】米国登録特許第７８０８４４９号
【特許文献２】日本特開第２０１１−００１９９１７号公報
【特許文献３】韓国特開第２０１１−０１００１１９号公報
【発明の概要】
【発明が解決しようとする課題】
【０００９】
そこで、本発明は、上記問題に鑑みてなされたものであり、本発明の目的とするところは、複数のコンテンツに対するオーディオデータが同時に出力されるようにすることを目的とする。
【００１０】
更に、本発明の目的は、シングルビューモードからマルチビューモードに動作モードが転換されてオーディオデータ信号が増加する場合、複数のオーディオ信号のデータサイズを縮小し、これを同時にメガネ装置に伝送することのできるディスプレイ装置及びその制御方法を提供することを目的とする。
【課題を解決するための手段】
【００１１】
以上のような目的を達成するための本発明の一実施形態にかかるマルチビューモードを通して複数のユーザに互いに異なるコンテンツを同時に提供するディスプレイ装置において、前記ディスプレイ装置は前記複数のユーザによって選択された互いに異なる複数のコンテンツを受信するために、前記マルチビューモードに動作する複数の受信部と、前記複数の受信部によって受信された前記複数のコンテンツの各々に含まれたビデオデータを処理するために、前記マルチビューモードに動作するビデオ処理部と、前記複数のコンテンツをディスプレイするために、前記ビデオ処理部で処理されたビデオデータを受信するビデオ出力部と、前記受信部によって受信され前記選択されたコンテンツに対応するオーディオデータを信号処理するために、マルチビューモードに動作するオーディオ処理部と、前記信号処理されたオーディオ信号を前記互いに異なる複数のコンテンツをビューイングするための複数のメガネ装置に出力するオーディオ出力部と、を含み、前記メガネ装置に出力される前記信号処理されたオーディオデータに関連したチャネル数と、前記受信部によって受信された前記オーディオデータに関連したチャネル数とは相違している。
【００１２】
そして、前記オーディオ処理部は、前記メガネ装置に無線伝送される前、５.１チャネル又はそれ以上のチャネルに関連したオーディオデータを２チャネルのステレオオーディオデータに変換するように前記オーディオデータを信号処理することができる。
【００１３】
なお、前記制御部は、シングルビューモード及び前記マルチビューモードのうち選択されたモードに従って動作し、前記マルチビューモードが選択されると、前記複数の受信部、前記ビデオ処理部及び各構成の動作を制御し、前記マルチビューモードで処理される前記複数のコンテンツのオーディオデータが前記個数未満のオーディオ出力チャネルを有するデータであると、各オーディオデータをステレオオーディオ信号に信号処理するように前記オーディオ処理部を制御することができる。
【００１４】
そして、前記オーディオ出力部は、前記複数のオーディオ信号の数と同一の個数で構成されてもよい。
【００１５】
なお、前記オーディオ出力部は、前記複数のコンテンツのオーディオ信号を個別的に伝送することができる。
【００１６】
そして、前記オーディオ出力部は、無線通信プロトコールに従って、前記複数のメガネ装置と通信を行い、前記複数のコンテンツのオーディオ信号を時分割方式で組み合わせたオーディオ信号ストリームを生成して前記複数のメガネ装置に伝送することができる。
【００１７】
なお、前記オーディオ出力部は、前記複数のコンテンツのオーディオ信号を分割し、各コンテンツの映像フレームの配置パターンと同期化されたパターンで複数のタイムスロットに割り当てて前記オーディオ信号ストリームを生成することができる。
【００１８】
そして、前記複数のメガネ装置とペアリングして通信を行うインターフェース部を更に含み、前記オーディオ出力部は、前記オーディオ処理部で処理された複数のオーディオ信号ストリームを前記インターフェース部を通して前記複数のメガネ装置に各々伝送することができる。
【００１９】
一方、本発明の一実施形態によると、互いに異なる複数のコンテンツを受信するステップと、前記複数のコンテンツの各々に含まれたビデオデータを検出して処理するステップと、前記ビデオデータを受信して、前記複数のコンテンツを映像フレーム単位で組み合わせられるように配置してディスプレイするステップと、前記複数のコンテンツの各々に含まれたオーディオデータを信号処理するステップと、前記信号処理された各オーディオデータ別オーディオ信号を前記複数のコンテンツに対応する複数のメガネ装置に出力するステップと、を含み、前記信号処理するステップは、マルチビューモードの動作時、前記マルチビューモードで処理される各コンテンツのオーディオデータが予め設定された個数以上のオーディオ出力チャネルを有するデータであると、各オーディオデータを２チャネルのオーディオ信号に信号処理することができる。
【００２０】
そして、前記互いに異なる複数のコンテンツを受信するステップは、前記マルチビューモード選択命令が入力されると、前記互いに異なる複数のコンテンツを受信し、前記オーディオデータを信号処理するステップは、前記マルチビューモードで処理される各コンテンツのオーディオデータが前記個数未満のオーディオ出力チャネルを有するデータであると、各オーディオデータをステレオオーディオ信号に信号処理することができる。
【００２１】
なお、前記出力するステップは、前記複数のオーディオ信号に対応する複数のオーディオ出力部を通して前記複数のコンテンツのオーディオ信号を前記複数のコンテンツに対応する複数のメガネ装置に伝送することができる。
【００２２】
そして、前記出力するステップは、オーディオ出力部を通して前記複数のコンテンツのオーディオ信号を個別的に伝送することができる。
【００２３】
なお、前記出力するステップは、無線通信プロトコールに従って、前記複数のメガネ装置と通信を行うオーディオ出力部を通して前記複数のコンテンツのオーディオ信号を時分割方式で組み合わせたオーディオ信号ストリームを生成し、前記複数のメガネ装置に伝送することができる。
【００２４】
そして、前記出力するステップは、前記オーディオ出力部を通して前記複数のコンテンツのオーディオ信号を分割し、各コンテンツの映像フレームの配置パターンと同期化されたパターンで複数のタイムスロットに割り当てて前記オーディオ信号ストリームを生成することができる。
【００２５】
なお、前記複数のメガネ装置とペアリングして通信を行うステップを更に含み、前記オーディオ信号を出力するステップは、前記複数のコンテンツの各々のオーディオ信号ストリームをペアリングされた前記複数のメガネ装置に各々伝送することができる。
【００２６】
一方、本発明の意実施形態によると、複数のコンテンツビューをディスプレイするディスプレイ装置と連動するメガネ装置において、前記メガネ装置は前記ディスプレイ装置と通信を行うインターフェース部と、第１シャッターグラス部と、第２シャッターグラス部と、前記ディスプレイ装置から受信した同期化信号に基づいて、前記第１及び第２シャッターグラス部を各々駆動させるシャッターグラス駆動部と、前記駆動信号に従ってシャッターを駆動するシャッターグラス部と、コンテンツビューを選択するためのユーザ命令が入力される入力部と、前記ユーザ命令が入力されると、前記複数のコンテンツビューの中で前記ユーザ命令によって選択されたコンテンツビューに同期化させ、前記第１及び第２シャッターグラス部を駆動させるように前記シャッターグラス駆動部を制御する制御部と、前記選択されたコンテンツビューに対応するオーディオ信号を受信して出力するオーディオ出力処理部と、を含む。
【００２７】
そして、前記オーディオ出力処理部は、前記ディスプレイ装置から出力される複数のオーディオ周波数チャネルのうち、前記ユーザ命令に対応するオーディオ周波数チャネルを選局して前記オーディオ信号を受信することができる。
【００２８】
なお、前記オーディオ出力処理部は、前記ディスプレイ装置から伝送される複数のオーディオ信号ストリームのうち、前記ユーザ命令に対応するオーディオ信号ストリームを処理して出力することができる。
【００２９】
そして、前記制御部は、前記ユーザ命令が入力される度に前記複数のコンテンツビューを順番に選択することができる。
【００３０】
なお、前記オーディオ信号はステレオオーディオであってもよい。
【発明の効果】
【００３１】
以上のような本発明の多様な実施形態によると、ディスプレイ装置は複数のコンテンツに対する各々のオーディオデータを同時に出力することができる。従って、メガネ装置を着用した複数のユーザはメガネ装置を通して互いに異なるコンテンツを視聴することができる。
【００３２】
更に、本発明に係わるディスプレイ装置は、シングルビューモードで動作する場合には、シングルオーディオ信号の品質を当該チャネルの帯域幅の範囲を超過しないステレオで伝送し、マルチビューモードに転換される場合には、複数のオーディオ信号をステレオからモノにデータサイズを縮小して伝送することでチャネルの帯域幅を超過させず、複数のオーディオ信号を同時に伝送することでメガネ装置を通してコンテンツ転換を行う場合に信号が遅延することを防止する効果を提供する。
【図面の簡単な説明】
【００３３】
【図１】本発明の一実施形態にかかる複数のユーザに複数のコンテンツを提供するシステムを示す例示である。
【図２】本発明の一実施形態にかかるメガネ装置でコンテンツを転換する例示である。
【図３】本発明の一実施形態にかかるディスプレイ装置のブロック図である。
【図４】本発明の一実施形態にかかるディスプレイ装置の信号処理部に対するブロック図である。
【図５】本発明の一実施形態にかかるオーディオ処理部で５.１チャネルを有するオーディオデータを２チャネルのステレオオーディオ信号に信号処理する例示である。
【図６】本発明の別の実施形態にかかるオーディオ処理部で７.１チャネルを有するオーディオデータを２チャネルのステレオオーディオ信号に信号処理する例示である。
【図７】本発明の一実施形態にかかるオーディオ出力部が複数個で構成される例示である。
【図８】本発明一実施形態にかかるオーディオ出力部が単独で構成される例示である。
【図９】本発明一実施形態にかかるオーディオ出力部が単独で構成される別の例示である。
【図１０】本発明の一実施形態にかかるメガネ装置のブロック図である。
【図１１】本発明の一実施形態にかかるメガネ装置のオーディオ出力処理部の細部構成図である。
【図１２】本発明の一実施形態にかかる入力装置のブロック図である。
【図１３】本発明の一実施形態にかかるディスプレイ装置で複数のコンテンツに対するビデオデータをディスプレイする方法のフローチャートである。
【図１４】本発明の一実施形態にかかるディスプレイ装置で複数のコンテンツに含まれたオーディオデータを出力する方法のフローチャートである。
【発明を実施するための形態】
【００３４】
以下に、添付図面を参照して本発明をより詳細に説明する。
【００３５】
図１は、本発明の一実施形態にかかる複数のユーザに複数のコンテンツを提供するシステムを示す例示である。
【００３６】
同図に示すように、本システムは、ディスプレイ装置１００とメガネ装置２００とを含む。
【００３７】
ディスプレイ装置１００は、マルチビューモードを通して複数のユーザに互いに異なるコンテンツを同時に提供する。このために、ディスプレイ装置１００は複数のコンテンツを交互にディスプレイし、各コンテンツのディスプレイタイミングに対応する同期化信号をメガネ装置２００に伝送する。また、ディスプレイ装置１００は複数のコンテンツに対応するメガネ装置２００に各コンテンツのオーディオ信号を出力する。このようなディスプレイ装置１００は、ＴＶ、携帯、ＰＤＡ，ノートＰＣ、モニタ、タブレットＰＣ、デジタルブック、デジタルフレーム、キオスクなどのようにディスプレイユニットを備えた様々な装置で実現されてもよい。
【００３８】
メガネ装置２００は、ディスプレイ装置１００から受信した同期化信号に従って左眼及び右眼シャッターグラスのオープンタイミングを制御する。すなわち、メガネ装置２００は受信した同期化信号に含まれた情報に従って、コンテンツがディスプレイされるタイミングの間に左眼及び右眼シャッターグラスをオープンし、複数のコンテンツのうち一つのコンテンツに対するビデオ映像を見ることができるようにする。
【００３９】
実施形態に従えば、メガネ装置２００はディスプレイ装置１００から受信される同期化信号に従って、交互にディスプレイされるコンテンツ１乃至４のうちコンテンツ１がディスプレイされる時点に左眼及び右眼シャッターグラスをオープンすることができる。
【００４０】
このように、メガネ装置２００はコンテンツ１がディスプレイされる時点に左眼及び右眼シャッターグラスをオープンさせることにより、メガネ装置２００を着用したユーザは、該メガネ装置２００を通してディスプレイ装置１００でディスプレイされる複数のコンテンツのうちコンテンツ１に対するビデオ映像を見ることができる。
【００４１】
一方、コンテンツ１乃至４を交互にディスプレイするディスプレイ装置１００は、コンテンツ１乃至４がディスプレイされるタイミングに対応してコンテンツ１乃至４に対するオーディオ信号を出力する。従って、前述した実施形態において、コンテンツ１がディスプレイされる時点に左眼及び右眼シャッターグラスをオープンするメガネ装置２００は、コンテンツ１がディスプレイされるタイミングに対応して出力されるコンテンツ１のオーディオ信号を受信して出力することができる。これにより、ユーザは自分が着用しているメガネ装置２００を通してコンテンツ１に対するビデオ映像を見ながら、同時にコンテンツ１に対するオーディオを聴取することができる。
【００４２】
一方、別のメガネ装置２００はディスプレイ装置１００から受信される同期化信号に従って、交互にディスプレイされるコンテンツのうちコンテンツ３がディスプレイされる時点に左眼及び右眼シャッターグラスをオープンすることができる。一方、コンテンツ１乃至４を交互にディスプレイするディスプレイ装置１００は、コンテンツ１乃至４がディスプレイされるタイミングに対応してコンテンツ１乃至４に対するオーディオ信号を出力する。従って、コンテンツ３がディスプレイされる時点にシャッターグラスをオープンするメガネ装置２００は、コンテンツ３がディスプレイされるタイミングに対応して出力されるコンテンツ３のオーディオ信号を受信して出力することができる。これにより、ユーザは自分が着用しているメガネ装置２００を通してコンテンツ３に対するビデオ映像を見ることができるだけでなく、コンテンツ３に対するオーディオを聴取することができる。
【００４３】
このようなメガネ装置２００を通して複数のコンテンツのうち一つのコンテンツに対するビデオ映像を見ているユーザは、自分が着用しているメガネ装置２００に備えられた入力ボタン２０１を操作し、現在視聴中のコンテンツに対するオーディオボリュームを調整することができ、現在視聴中のコンテンツに対するチャネルから別のチャネルに調整したり、或いは外部機器から提供するコンテンツを視聴するように調整することができる。しかし、本発明はこれに限定されず、ユーザはリモコンのような遠隔制御装置３００を用いて制御命令を入力し、現在視聴中のコンテンツに対するオーディオボリュームを調整したり別のチャネルに調整することができる。
【００４４】
一方、コンテンツ１乃至４に対するオーディオ信号をメガネ装置２００に出力するディスプレイ装置１００は、出力チャネルに応じて、各オーディオ信号を２チャネル或いは出力チャネルに対応するチャネルのステレオオーディオ信号に出力することができる。例えば、５.１チャネルを有する場合、ディスプレイ装置１００は５.１チャネルのうち特定チャネル（例えば、ディスプレイ装置１００の左右チャネル）、すなわち２チャネルに対するオーディオ信号のみ出力することができる。すなわち、ディスプレイ装置１００は５.１チャネルのうち左右チャネルを通して出力されるオーディオ信号に対する平均を算出した後、算出された平均オーディオ信号をメガネ装置２００側に伝送することができる。
【００４５】
図２は、本発明の一実施形態にかかるメガネ装置においてコンテンツを転換する例示である。
【００４６】
同図に示すように、ユーザはメガネ装置２００に備えられた入力ボタン２０１を選択してコンテンツを転換することができる。例えば、メガネ装置２００を通してコンテンツ２を視聴しているユーザはコンテンツを転換するためにメガネ装置２００に備えられた入力ボタン２０１を押す。従って、メガネ装置２００はユーザが入力ボタン２０１を押す回数に従ってコンテンツ３→コンテンツ４→コンテンツ１の順序にコンテンツを転換させることができる。他の例として、ユーザがメガネ装置２００に備えられた入力ボタン２０１を押すと、メガネ装置２００はコンテンツ転換モードに設定される。従って、メガネ装置２００を着用したユーザはコンテンツ３→コンテンツ４→コンテンツ１を順番に視聴することができる。この時、順番にコンテンツを視聴することは一定の時間間隔でコンテンツ３、４、１が順番にディスプレイされることを意味する。
【００４７】
このように、自動でコンテンツが転換される状態でユーザがメガネ装置２００に備えられた入力ボタン２０１を通して選択命令を入力すると、メガネ装置２００は選択命令が入力された時点に対応するコンテンツに同期化され、左側シャッターグラス及び右側シャッターグラスを全てオンすることができる。もし、ユーザから選択命令が入力された時点に対応するコンテンツがコンテンツ１であると、メガネ装置２００はコンテンツ１がディスプレイされる時点に同期化され、左側シャッターグラス及び右側シャッターグラスをすべてオンすることで、ユーザはコンテンツ１を選択して視聴することができる。
【００４８】
今まで、複数のコンテンツを提供するディスプレイ装置１００及びディスプレイ装置１００から提供される複数のコンテンツを視聴するためのメガネ装置２００を含むシステムに対して簡略に説明した。以下では、本発明にかかるディスプレイ装置１００及びメガネ装置２００に対する各構成の動作について詳細に説明する。
【００４９】
図３は、本発明の一実施形態にかかるディスプレイ装置のブロック図である。
【００５０】
同図に示すように、ディスプレイ装置は、受信部１１０、信号処理部１２０、出力部１３０、同期化信号生成部１４０、インターフェース部１５０及び制御部１６０を含む。
【００５１】
受信部１１０は、複数個で構成され、マルチビューモード動作を行い複数のユーザによって選択された互いに異なる複数のコンテンツを受信する。実施形態に従えば、第１及び第２受信部１１１、１１２は、互いに異なる放送チャネルを通してコンテンツを受信することができる。このように、互いに異なる放送チャネルを通してコンテンツを受信する場合、第１及び第２受信部１１１、１１２は、チューナー（不図示）、復調器（不図示）、等化器（不図示）、デコーダ（不図示）などのような構成を含む形態で実現することができる。このように、第１及び第２受信部１１１、１１２に含まれる各々の構成は公知の技術であるため、本発明では各構成に対する動作説明を省略することにする。
【００５２】
一方、第３受信部１１３は、ＳＣＡＲＴ、ＡＶ、ＨＤＭＩ、ＣＯＭＰＯＮＥＮＴ、ＵＳＢインターフェースのうち少なくとも一つのインターフェースを通してウェブサーバーのようなソース装置或いはＤＶＤ装置のような再生装置を通してコンテンツを受信することができる。このように、第１乃至第３受信部１１１〜１１３を通して互いに異なるコンテンツが受信されると、信号処理部１２０はマルチビューモード動作を行って第１乃至第３受信部１１１〜１１３を通して受信された各々のコンテンツに含まれたビデオデータ及びオーディオデータが出力部１３０を通して出力されるように信号処理する。従って、出力部１３０は信号処理部１２０で信号処理された各々のコンテンツに含まれたビデオデータ及びオーディオデータをビデオ出力部１３１及びオーディオ出力部１３２を通して出力することができる。
【００５３】
ここで、出力部１３０の各構成については下記にて詳細に説明することにし、まず前述した信号処理部１２０の各構成について図４を通して詳細に説明することにする。
【００５４】
図４は、本発明の一実施形態にかかるディスプレイ装置の信号処理部に対するブロック図である。
【００５５】
図４に対する説明に先立って、信号処理部１２０は受信部１１０に対応する個数で構成されることができる。前述したように、受信部１１０が第１乃至第３受信部１１１〜１１３で構成される場合、信号処理部１２０は第１乃至第３受信部１１１〜１１３に対応する個数で構成され第１乃至第３受信部１１１〜１１３から受信される各々のコンテンツに対する信号処理を行うことができる。すなわち、信号処理部１２０は、第１信号処理部１２０−１、第２信号処理部１２０−２、及び第３信号処理部１２０−３を含むことができ、第１信号処理部１２０−１は第１受信部１１１から受信されるコンテンツに対する信号処理を行うことができる。そして、第２信号処理部１２０−２は第２受信部１１２から受信されるコンテンツに対する信号処理を行い、第３信号処理部１２０−３は第３受信部１１３から受信されるコンテンツに対する信号処理を行うことができる。
【００５６】
しかし、本発明はこれに限定されず、信号処理部１２０は単独で構成され第１乃至第３受信部１１１〜１１３から受信される互いに異なるコンテンツに対する信号処理を行うことができる。
【００５７】
本発明においては、第１乃至第３信号処理部１２０−１〜１２０−３で受信された各々のコンテンツに対する信号処理を行う動作について説明するが、第１乃至第３信号処理部１２０−１〜１２０−３の構成は同一であるため、第１信号処理部１２０−１に対する動作について詳細に説明することにする。
【００５８】
図４に示すように、第１信号処理部１２０−１は、第１デマルチプレクサ１２１−１、第１付加データ処理部１２２−１、第１ビデオ処理部１２３−１、第１オーディオ処理部１２４−１及び第１フレームレート変換部１２５−１を含むことができる。図４には第１信号処理部１２０−１に対してのみ示されているが、他の信号処理部１２０−２、１２０−３もすべて図４と同一又は類似した構造で実現されてもよい。
【００５９】
ここで、第１デマルチプレクサ１２１−１は、マルチビューモードの下で動作する時に各コンテンツに含まれた付加データ、ビデオデータ及びオーディオデータを各々の処理部に割当てることができる。すなわち、第１デマルチプレクサ１２１−１は第１乃至第３受信部１１１〜１１３のうち第１デマルチプレクサ１２１−１に対応する第１受信部１１１から受信されたコンテンツに含まれたビデオデータ、オーディオデータ及び付加データを分離して各処理部に伝送することができる。
【００６０】
第１付加データ処理部１２２−１は、コンテンツにＥＰＧ（Ｅｌｅｃｔｒｏｎｉｃ  Ｐｒｏｇｒａｍ  Ｇｕｉｄｅ）及び字幕のような付加情報が含まれた場合、第１デマルチプレクサ１２１−１によって分離された付加データを当該付加データと対応する映像フレームに付加することができる。
【００６１】
第１ビデオ処理部１２３−１は、第１デマルチプレクサ１２１−１から受信されたコンテンツに含まれたビデオデータに対する信号処理を行う。具体的には、第１ビデオ処理部１２３−１は、第１デマルチプレクサ１２１−１からビデオデータが受信されると、デコーダ（不図示）を通して受信されたビデオデータに対するデコーディングを行った後、スケーラー（不図示）を通して後述するビデオ出力部１３１の画面サイズに合わせてデコーディングされたビデオデータに対する映像フレームをアップ又はダウンとスケーリングを行う。
【００６２】
その他、第１ビデオ処理部１２３−１は、第１フレームレート変換部１２５−１に対応するデータフォーマットにビデオデータを変換することもできる。具体的には、入力されたビデオデータがトップトゥボトム（ｔｏｐ−ｔｏ−ｂｏｔｔｏｍ）フォーマットであることに対し、第１フレームレート変換部１２５−１においてサイドバイサイド（ｓｉｄｅ−ｂｙ−ｓｉｄｅ）フォーマットにフレームを処理する場合なら、第１ビデオ処理部１２３−１は各コンテンツの映像フレームを横方向に並べサイドバイサイド不ｘ−マットに変換することができる。第１オーディオ処理部１２４−１は第１デマルチプレクサ１２１−１から受信されたコンテンツに含まれたオーディオデータに対する信号処理を行う。具体的には、第１オーディオ処理部１２４−１はデコーダ（不図示）を通してオーディオデータに対するデコーディングを行い、デコーディングされた各オーディオデータを変調部（不図示）を通して互いに異なる周波数信号に変調する。
【００６３】
このとき、第１オーディオ処理部１２４−１を通して変調されたオーディオ信号とまた別のオーディオ処理部から変調されるオーディオ信号とは互いに異なる周波数チャネルを有することが好ましい。一方、第１オーディオ処理部１２４−１はオーディオ出力チャネルの個数に応じて第１デマルチプレクサ１２１−１から受信されたコンテンツに含まれたオーディオデータをステレオオーディオ信号に出力することができる。すなわち、第１オーディオ処理部１２４−１は第１デマルチプレクサ１２１−１から受信されたコンテンツに含まれたオーディオデータのオーディオ出力チャネルの数が５.１チャネル或いはそれ以上であれば、当該オーディオデータを２チャネルのステレオオーディオ信号に変換して出力することができる。一方、オーディオ出力チャネルの数が５.１チャネル未満であれば、第１オーディオ処理部１２４−１は当該オーディオデータをオーディオ出力チャネルの数に対応するステレオオーディオ信号に変換して出力することができる。
【００６４】
このような第１オーディオ処理部１２４−１は下記にてより具体的に説明することにする。第１フレームレート変換部１２５−１は第１ビデオ処理部１２３−１から提供されるコンテンツのフレームレートをディスプレイ装置１００の出力レートを参照してマルチコンテンツディスプレイレートに合うように変換する。具体的には、ディスプレイ装置１００が６０Ｈｚで動作する場合であれば、第１フレームレート変換部１２５−１は各コンテンツのフレームレートをｎ×６０Ｈｚに変換することができる。
【００６５】
このように、第１乃至第３信号処理部１２０−１〜１２０−３で信号処理された各々のコンテンツに対するビデオデータ及びオーディオデータを出力する出力部１３０は、ビデオ出力部１３１及びオーディオ出力部１３２を含む。ビデオ出力部１３１は第１乃至第３信号処理部１２０−１〜１２０−３を通して出力された各々のコンテンツに対する映像フレームを組み合わせて、マルチコンテンツフレームをディスプレイする。ここで、マルチコンテンツフレームは、複数のユーザが複数のコンテンツに対するビデオ映像を見ることができるように構成されたフレームデータを意味する。
【００６６】
実施形態に従えば、シャッターグラス方式のディスプレイ装置である場合、ビデオ出力部１３１は、第１乃至第３信号処理部１２０−１〜１２０−３から出力された各々のコンテンツの映像フレームが少なくとも一つずつ交互に配置されるようにマルチプレクシングを行う。その後、ビデオ出力部１３１はマルチプレシングされた各々のコンテンツに対する映像フレームを画面サイズに合わせてアップスケーリングした後、各コンテンツに対する映像フレームが組み合わせられたマルチコンテンツフレームを構成してディスプレイする。
【００６７】
このように、複数のコンテンツに対する映像フレームが組み合わせられたマルチコンテンツフレームがディスプレイされると、複数のユーザのそれぞれは自分が着用したメガネ装置２００を通して互いに異なるコンテンツに対するビデオ映像を見ることができる。具体的には、メガネ装置２００は左眼シャッターグラス及び右眼シャッターグラスを備える。このようなメガネ装置２００はビデオ出力部１３１を通して３Ｄコンテンツの映像フレームが出力される場合、左眼及び右眼シャッターグラスを交互にオン/オフさせる。一方、上述したように、ビデオ出力部１３１を通してマルチコンテンツフレームが出力される場合、メガネ装置２００は、メガネ装置２００と同期化されたコンテンツの出力タイミングに従って左眼及び右眼シャッターグラスを一括的にオン/オフさせる。
【００６８】
このように、左眼及び右眼シャッターグラスを一括的にオン/オフさせることにより、メガネ装置２００を着用したユーザは他のユーザとは区別されるコンテンツのビデオ映像を見ることができる。
【００６９】
しかし、本発明はこれに限定されず、偏光グラス方式のディスプレイ装置である場合、ビデオ出力部１３１は第１乃至第３信号処理部１２０−１〜１２０−３から出力された各々のコンテンツの映像フレームを水平、垂直、或いは対角線の方向に混合されるようにマルチプレシングを行う。その後、ビデオ出力部１３１はマルチプレシングされた各々のコンテンツに対する映像フレームを画面サイズに合わせてアップスケーリングし、各コンテンツに対する映像フレームが組み合わせられたマルチコンテンツフレームを構成してディスプレイする。
【００７０】
この場合、メガネ装置２００は、偏光メガネ装置であってよく、複数のユーザのそれぞれは自分が着用した偏光メガネ装置を通して互いに異なるコンテンツに対するビデオ映像を見ることができる。
【００７１】
一方、上述したシャッターグラス方式のディスプレイ装置において、各コンテンツの映像フレームを交互に配置してディスプレイするモードをマルチビューモード或いはデュアルビューモードと称することができ、以下ではマルチビューモードと称して説明することにする。前述したように、複数のコンテンツをディスプレイ装置１００が２Ｄコンテンツ或いは３Ｄコンテンツのうち一つのみをディスプレイする一般モード（又はシングルビューモード）で動作する場合には、第１乃至第３受信部１１１〜１１３のうち一つのみを活性化させてコンテンツを処理することができる。
【００７２】
一方、上述したコンテンツは２Ｄコンテンツであってもよく、３Ｄコンテンツであってもよい。ここで、３Ｄコンテンツとは、同一のオブジェクト（Ｏｂｊｅｃｔ）を互いに異なる観点で表現した多視点映像を利用してユーザが立体感を感じることができるようにするコンテンツのことを意味する。複数の３Ｄコンテンツを利用する場合、ビデオ出力部１３１は第１乃至第３信号処理部１２０−１〜１２０−３の各フレームレート変換部で提供される各３Ｄコンテンツに含まれた左眼映像及び右眼映像を予め設定された配置形態にマルチプレシングし、他のコンテンツの映像フレームと交互に配置することができる。これにより、第１コンテンツの左眼映像、右眼映像、第２コンテンツの左眼映像、右眼映像、…、第ｎコンテンツの左眼映像、右眼映像が順番に配置されてディスプレイされ、ユーザはメガネ装置２００を通して一つのコンテンツの左眼映像及び右眼映像を認識するようになる。
【００７３】
オーディオ出力部１３２は、オーディオ信号を単一チャネルスピーカ、又は５.１チャネル及び７.１チャネルのような多チャネルスピーカに伝送してオーディオを外部へ出力することができる。又は、オーディオ出力部１３２は、後述するインターフェース部１５０を通してメガネ装置２００にオーディオ信号を伝送することができる。すなわち、オーディオ出力部１３２で出力された各オーディオデータは、メガネ装置２００に備えられたイヤホンのような出力手段を通してユーザに提供されたり、ディスプレイ装置１００に備えられた単一チャネル又は多チャネルスピーカを通して出力されることができる。ここで、メガネ装置２００に出力される各オーディオデータに関連したチャネル数と、複数個で構成された受信部１１０を通して受信されるコンテンツに含まれたオーディオデータのチャネル数とは相違してもよい。
【００７４】
このようなオーディオ出力部１３２については下記で詳細に説明することにする。
【００７５】
一方、制御部１６０は、シングルビューモード及びマルチビューモードのうちユーザから選択されたモードに従って動作し、ユーザからマルチビューモードが選択されると、複数のコンテンツを受信するように第１乃至第３受信部１１１〜１１３及び各構成、即ち、信号処理部１２０及び出力部１３０を制御する。具体的には、ユーザからシングルビューモードに対する選択命令が入力されると、制御部１６０は複数のコンテンツのうち一つのコンテンツのみを受信するように第１乃至第３受信部１１１〜１１３を制御する。そして、制御部１６０は第１乃至第３受信部１１１〜１１３のうち一つの受信部から受信されたコンテンツに対する信号処理を行うように信号処理部１２０を制御する。例えば、第１受信部１１１からコンテンツが受信されると、制御部１６０は第１受信部１１１と対応する第１信号処理部１２０−１で該コンテンツに含まれたビデオデータ及びオーディオデータに対する信号処理を行うように制御する。その後、制御部１６０は第１信号処理部１２０−１で信号処理されたビデオデータ及びオーディオデータがビデオ出力部１３１及びオーディオ出力部１３２を通して出力されるように出力部１３０を制御する。
【００７６】
一方、ユーザからマルチビューモードに対する選択命令が入力されると、制御部１６０は複数のコンテンツを受信するように第１乃至第３受信部１１１〜１１３を制御する。そして、制御部１６０は第１乃至第３受信部１１１〜１１３と対応する第１乃至第３信号処理部１２０−１〜１２０−３で各コンテンツに含まれたビデオデータ及びオーディオデータに対する信号処理を行うように制御する。このような制御部１６０の制御命令に従って、第１信号処理部１２０−１に含まれた第１ビデオ処理部１２３−１及びそれ以外の信号処理部に含まれたビデオ処理部の各々は、前述したように、第１乃至第３受信部１１１〜１１３を通して受信された各コンテンツに含まれたビデオデータを出力可能な形態に信号処理する。
【００７７】
一方、制御部１６０は各コンテンツのオーディオデータが予め設定された個数以上のオーディオ出力チャネルを有するデータであれば、各オーディオデータを２チャネルのステレオオーディオ信号に信号処理し、予め設定された個数未満のオーディオ出力チャネルを有するデータであれば、各オーディオデータを当該チャネル数に対応するステレオオーディオ信号に信号処理するように第１オーディオ処理部１２４−１及びそれ以外のオーディオ処理部を制御することができる。従って、第１オーディオ処理部１２４−１及びそれ以外のオーディオ処理部の各々は各コンテンツのオーディオデータをステレオオーディオ信号に信号処理して出力することができる。
【００７８】
以下では、予め設定された個数以上のオーディオ出力チャネルがある場合、第１オーディオ処理部１２４−１でオーディオデータを２チャネルのステレオオーディオ信号に信号処理する動作について説明することにする。
【００７９】
図５は、本発明の一実施形態にかかるオーディオ処理部で５.１チャネルを有するオーディオデータを２チャネルのステレオオーディオ信号に信号処理する例示であり、図６は、本発明の別の実施形態にかかるオーディオ処理部で７.１チャネルを有するオーディオデータを２チャネルのステレオオーディオ信号に信号処理する例示である。
【００８０】
前述したように、第１信号処理部１２０−１は第１オーディオ処理部１２４−１を含み、第１オーディオ処理部１２４−１は第１受信部１１１を通して受信されたコンテンツに含まれたオーディオデータに対する信号処理を行う。このような第１オーディオ処理部１２４−１はオーディオ出力チャネルの数に応じて第１受信部１１１を通して受信されたコンテンツに含まれたオーディオデータをステレオオーディオ信号に信号処理して出力することができる。
【００８１】
具体的には、図５に示すように、ディスプレイ装置１００のオーディオ出力部１３２は５.１チャネルを通して６個のスピーカ（センター５１０、ウーファー５２０、左右フロント５３０−１、５３０−２、左右リア５４０−１、５４０−２）にオーディオ信号を出力することができる。このように、５.１チャネルを通して６個のスピーカにオーディオ信号を出力する場合、第１オーディオ処理部１２４−１は５.１チャネルのうち特定チャネル（例えば、左右フロント５３０−１、５３０−２と対応するチャネル）に対するオーディオデータのみを信号処理する。すなわち、第１オーディオ処理部１２４−１は第１及び第２加重値部５６０−１、５６０−２を通して５.１チャネルのうち特定チャネル（左右フロント５３０−１、５３０−２）に対するオーディオデータにのみ加重平均（Ｗｅｉｇｈｔｅｄ  Ａｖｅｒａｇｅ）を適用した後に信号処理する。従って、オーディオ出力部１３２は５.１チャネルのうち２チャネル、すなわち、左フロント５３０−１及び右フロント５３０−１を通して出力されるオーディオ信号に加重平均を適用して出力することができる。
【００８２】
一方、図６に示すように、ディスプレイ装置１００のオーディオ出力部１３２は７.１チャネルを通して８個のスピーカ（センター５１０、ウーファー５２０、左右フロント５３０−１、５３０−２、左右リア５４０−１、５４０−２、及び左右ミディアム５５０−１、５５０−２）にオーディオ信号を出力することができる。このように、７.１チャネルを通して８個のスピーカにオーディオ信号を出力する場合、第１オーディオ処理部１２４−１は７.１チャネルのうち特定チャネル（例えば、左右リア５４０−１、５４０−２と対応するチャネル）に対するオーディオデータのみを信号処理する。すなわち、第１オーディオ処理部１２４−１は第１及び第２加重値部５６０−１、５６０−２を通して７.１チャネルのうち特定チャネル（左右リア５４０−１、５４０−２）に対するオーディオデータにのみ加重平均（Ｗｅｉｇｈｔｅｄ  Ａｖｅｒａｇｅ）を適用した後に信号処理する。従って、オーディオ出力部１３２は７.１チャネルのうち２チャネル、すなわち、左リア５４０−１及び右リア５４０−１を通して出力されるオーディオ信号に加重平均を適用して出力することができる。
【００８３】
その後、制御部１６０は第１乃至第３信号処理部１２０−１〜１２０−３で信号処理された各ビデオデータ及びオーディオデータがビデオ出力部１３１及びオーディオ出力部１３２を通して出力されるように出力部１３０を制御する。このような制御部１６０の制御命令に従って、ビデオ出力部１３１は第１乃至第３信号処理部１２０−１〜１２０−３で信号処理された各ビデオデータを映像フレームの単位で組み合わせられるように配置してディスプレイする。一方、オーディオ出力部１３２は制御部１６０の制御命令に従って、第１乃至第３信号処理部１２０−１〜１２０−３で信号処理された各オーディオ信号を一つのオーディオストリームに変換して一つのチャネルを通して伝送するか、別のオーディオストリームへの変換なしに信号処理された各オーディオ信号を複数のチャネルを通して出力することができる。
【００８４】
具体的には、第１乃至第３信号処理部１２０−１〜１２０−３に含まれた各々のオーディオ処理部１２４から信号処理されたオーディオ信号のサイズが２チャネルのステレオオーディオ信号に変換されたものでなければ、オーディオ出力部１３２は信号処理された各々のオーディオ信号を複数のチャネルを通して出力することができる。
【００８５】
一方、第１乃至第３信号処理部１２０−１〜１２０−３に含まれた各々のオーディオ処理部１２４から信号処理されたオーディオ信号のサイズが２チャネルのステレオオーディオ信号に適合するように縮小変換されたものであれば、オーディオ出力部１３２は縮小変換された各々のオーディオ信号を一つのオーディオストリームに変換して単一のチャネルを通して出力することができる。
【００８６】
一方、前述した図２において、同期化信号生成部１４０は各コンテンツのディスプレイタイミングに従って、各コンテンツに対応するメガネ装置２００を同期化させる同期化信号を生成する。すなわち、同期化信号生成部１４０は、マルチビューモードで各コンテンツに対する映像フレームのディスプレイタイミングにメガネ装置２００を同期化させるための同期化信号を生成する。
【００８７】
インターフェース部１５０は、同期化信号生成部１４０から生成された同期化信号をメガネ装置２００に伝送する。この場合、インターフェース部１５０は様々な方式で同期化信号をメガネ装置２００に伝送することができる。
【００８８】
一実施形態に従えば、インターフェース部１５０はブルートゥース通信モジュールを備えてメガネ装置２００と通信を行い、同期化信号生成部１４０から生成された同期化信号をブルートゥース通信規格に従う伝送パケットに生成してメガネ装置２００に伝送することができる。この場合、伝送パケットは、複数のコンテンツのディスプレイタイミングに同期化され、メガネ装置２００の左眼及び右眼シャッターグラスをオン/オフさせるための時間情報を含む。具体的には、伝送パケットに含まれる時間情報は、メガネ装置２００の左眼シャッターグラスをオンさせるオフセット時間（ｌｅｆｔ  ｓｈｕｔｔｅｒ  ｏｐｅｎ  ｏｆｆｓｅｔ）、左眼シャッターグラスをオフさせるオフセット時間（ｌｅｆｔ  ｓｈｕｔｔｅｒ  ｃｌｏｓｅ  ｏｆｆｓｅｔ）、右眼シャッターグラスをオンさせるオフセット時間（ｒｉｇｈｔ  ｓｈｕｔｔｅｒ  ｏｐｅｎ  ｏｆｆｓｅｔ）、右眼シャッターグラスをオフさせるオフセット時間（ｒｉｇｈｔ  ｓｈｕｔｔｅｒ  ｃｌｏｓｅ  ｏｆｆｓｅｔ）に対する情報を含むことができる。
【００８９】
オフセット時間はコンテンツ毎に設定された基準時点から左眼及び右眼シャッターグラスのオン又はオフ時点までのディレイ（ｄｅｌａｙ）情報である。すなわち、メガネ装置２００は、基準時点からオフセット時間が経過すると、左眼及び右眼シャッターグラスをオン/オフさせる。例えば、基準時点は、映像フレームで垂直同期信号（すなわち、フレームシンク）が発生される時点になってもよい。このような基準時点に対する情報は伝送パケットに含まれることができ、メガネ装置２００は受信された伝送パケットに含まれた基準時点に対する情報に基づいて左眼及び右眼シャッターグラスをオン/オフさせるための垂直同期信号が発生される時点を設定することができる。
【００９０】
一方、インターフェース部１５０は、各メガネ装置２００とブルートゥースアドレス（Ｂｌｕｅｔｏｏｔｈ（登録商標）  Ｄｅｖｉｃｅ  Ａｄｄｒｅｓｓ）及びピンコードなどを送受信してブルートゥース通信方式に従うペアリング（ｐａｉｒｉｎｇ）を行う。ペアリングが完了すると、インターフェース部１５０は各メガネ装置２００に対する情報、例えば、メガネ装置２００の識別情報などを登録することができる。その後、インターフェース部１５０は各コンテンツのディスプレイタイミングとメガネ装置に対する情報をマッチングさせ、ペアリングを通して獲得した識別情報に基づいて当該メガネ装置２００に伝送パケットを伝送することができる。
【００９１】
伝送パケットを受信したメガネ装置２００は、受信した伝送パケットに含まれた情報に基づいてディスプレイタイミングを確認し、確認されたディスプレイタイミングに従って左眼及び右眼シャッターグラスをオン/オフさせることができる。
【００９２】
例えば、コンテンツ１、２に対する映像フレームが交互にディスプレイされている状態で、インターフェース部１５０は同期化信号生成部１４０から生成された同期化信号をブルートゥース通信規格に従う伝送パケットを生成して第１及び第２メガネ装置２００に伝送することができる。第１メガネ装置２００に伝送される伝送パケットには第１メガネ装置２００の左眼及び右眼シャッターグラスがコンテンツ１のディスプレイタイミングにオンするように動作させるための時間情報及び基準時点に対する情報が含まれる。そして、第２メガネ装置２００に伝送される伝送パケットには第２メガネ装置２００の左眼及び右眼シャッターグラスがコンテンツ２のディスプレイタイミングにオンするように動作させるための時間情報及び基準時点に対する情報が含まれる。
【００９３】
従って、第１メガネ装置２００は受信した伝送パケットに含まれる情報に基づいてコンテンツ１の映像フレームがディスプレイされるディスプレイタイミングに左眼及び右眼シャッターグラスをオンし、コンテンツ２の映像フレームがディスプレイされるディスプレイタイミングに左眼及び右眼シャッターグラスをオフすることができる。
【００９４】
一方、第２メガネ装置２００は受信した伝送パケットに含まれる情報に基づいてコンテンツ２の映像フレームがディスプレイされるディスプレイタイミングに左眼及び右眼シャッターグラスをオンし、コンテンツ１の映像フレームがディスプレイされるディスプレイタイミングに左眼及び右眼シャッターグラスをオフすることができる。
【００９５】
従って、第１メガネ装置２００を着用したユーザはコンテンツ１に対するビデオ映像を見ることができ、第２メガネ装置２００を着用したユーザはコンテンツ２に対するビデオ映像を見ることができる。
【００９６】
また別の実施形態に従えば、インターフェース部１５０は相違した無線周波数チャネルを有するＩＲ（Ｉｎｆｒａ  Ｒｅｄ）同期化信号或いはＲＦ（Ｒａｄｉｏ  Ｆｒｅｑｕｅｎｃｙ）同期化信号をメガネ装置２００に提供することができる。この場合、メガネ装置２００は特定周波数を有する同期化信号を受信して、対応するコンテンツのディスプレイタイミングに従ってシャッターグラスをオン又はオフすることができる。
【００９７】
この場合、インターフェース部１５０は同期化信号に含まれた情報に基づいて、予め設定された時間間隔で第１周期の間のハイレベル（ｈｉｇｈ  ｌｅｖｅｌ）と第２周期の間のローレベル（ｌｏｗ  ｌｅｖｅｌ）とが交互に繰り返される赤外線信号をメガネ装置２００に伝送することができる。従って、メガネ装置２００はハイレベルである第１周期の間にシャッターグラスをオンし、ローレベルである第２周期の間にシャッターグラスをオフするように実現することができる。その他にも、同期化信号は多様な方式で生成されることもできる。
【００９８】
上述した実施形態ではインターフェース部１５０とメガネ装置２００がブルートゥース通信方式に従って通信を行う、或いはＩＲ又はＲＦ方式で通信を行うことについて説明したが、これは一例に過ぎない。すなわち、ブルートゥース方式の以外に赤外線通信、ジグビー（Ｚｉｇｂｅｅ（登録商標））などの通信方式を利用することができ、その他の近距離で通信チャネルを形成して信号を送受信することができる多様な無線通信方式に従って通信を行うことができることはもちろんである。
【００９９】
一方、前述したオーディオ出力部１３２は第１乃至第３信号処理部１２０−１〜１２０−３の第１乃至第３オーディオ処理部１２４−１〜１２４−３を通して信号処理された各コンテンツ別のオーディオ信号を当該コンテンツと対応する複数のメガネ装置２００に出力する。このようなオーディオ出力部１３２は図７乃至図９を通して各コンテンツに対するオーディオデータを複数のコンテンツに対応する複数のメガネ装置２００に出力することができる。
【０１００】
図７は、本発明の一実施形態にかかるオーディオ出力部が複数個で構成される例示である。
【０１０１】
同図に示すように、オーディオ出力部１３２は、各コンテンツに含まれるオーディオデータを処理するオーディオ処理部１２４と対応する個数で構成されてもよい。実施形態に従えば、コンテンツ１乃至３が受信されると、第１乃至第３信号処理部１２０−１〜１２０−３は第１乃至第３オーディオ処理部１２４−１〜１２４−３を通してコンテンツ１乃至３に含まれたオーディオデータを互いに異なる周波数チャネルを有するオーディオ信号に変調して出力することができる。ここで、第１乃至第３オーディオ処理部１２４−１〜１２４−３で出力された各オーディオ信号は、前述したように、オーディオ出力チャネルの個数に応じて２チャネル或いはオーディオ出力チャネルの個数に対応するステレオオーディオ信号に変調されたものである。
【０１０２】
このように、第１乃至第３オーディオ処理部１２４−１〜１２４−３を通して変調された互いに異なる周波数チャネルを有するオーディオ信号が出力されると、第１乃至第３オーディオ出力部１３２−１〜１３２−３はコンテンツ１乃至３に対する各々のオーディオ信号をコンテンツ１乃至３に対応するメガネ装置２００に伝送することができる。
【０１０３】
一実施形態に従えば、第１乃至第３オーディオ出力部１３２−１〜１３２−３は、無線通信方式であるブルートゥース方式で各々のメガネ装置２００にコンテンツ１乃至３に対するオーディオ信号を出力することができる。具体的には、第１乃至第３オーディオ出力部１３２−１〜１３２−３はコンテンツ１乃至３に対するオーディオ信号をブルートゥース通信規格に従うオーディオ信号ストリームを生成する。その後、第１乃至第３オーディオ出力部１３２−１〜１３２−３は、生成した各々のオーディオ信号ストリームをインターフェース部１５０を通してペアリングされた複数のメガネ装置２００の識別情報に基づいて、各々のメガネ装置２００に伝送することができる。
【０１０４】
従って、複数のメガネ装置２００は、第１乃至第３オーディオ出力部１３２−１〜１３２−３を通して出力されたオーディオ信号ストリームのうち一つのオーディオ信号ストリームを受信してスピーカを通して出力することができる。従って、メガネ装置２００を着用した各々のユーザは現在見ているコンテンツに対するビデオ映像と共に、メガネ装置２００に備えられたスピーカを通して当該コンテンツのオーディオを聴取することができる。
【０１０５】
別の実施形態に従えば、第１乃至第３オーディオ出力部１３２−１〜１３２−３は、ＲＦ通信方式で各々のメガネ装置２００にコンテンツ１乃至３に対するオーディオ信号を出力することができる。前述したように、コンテンツ１乃至３に対するオーディオ信号は互いに異なる周波数チャネルを有する信号に変調することができる。このようなコンテンツ１乃至３に対するオーディオ信号の各々が第１乃至第３オーディオ処理部１２４−１〜１２４−３を通して出力されると、第１乃至第３オーディオ出力部１３２−１〜１３２−３は出力された各々のオーディオ信号と対応する周波数チャネルに各々のオーディオ信号を出力することができる。
【０１０６】
この場合、メガネ装置２００を着用したユーザはメガネ装置２００に備えられた操作ボタンを用いて周波数チャネルを選択することができる。周波数チャネルの選択に従って、メガネ装置２００はその選択された周波数チャネルを通して出力されるオーディオ信号を受信してスピーカを通して出力することで、ユーザは現在見ているコンテンツに関連したオーディオを聴取することができる。
【０１０７】
上述した実施形態ではブルートゥース通信方式或いはＲＦ通信方式でオーディオ信号を出力することについて説明したが、これは一例に過ぎず、別の通信方式でオーディオ信号を出力することができるのが好ましい。
【０１０８】
図８は、本発明の一実施形態にかかるオーディオ出力部が単独で構成される例示である。
【０１０９】
同図に示すように、オーディオ出力部１３２は単独で構成され、各コンテンツに含まれるオーディオデータに対するオーディオ信号を個別的に処理することができる。
【０１１０】
実施形態に従えば、コンテンツ１乃至３が受信されると、第１乃至第３信号処理部１２０−１〜１２０−３は第１乃至第３オーディオ処理部１２４−１〜１２４−３を通してコンテンツ１乃至３に含まれたオーディオデータを互いに異なる周波数チャネルを有するオーディオ信号に変調して出力する。ここで、第１乃至第３オーディオ処理部１２４−１〜１２４−３で出力された各オーディオ信号は、前述したように、オーディオ出力チャネルの個数に応じて２チャネル或いはオーディオ出力チャネルの個数に対応するステレオオーディオ信号に変調されたものである。このように、第１乃至第３オーディオ処理部１２４−１〜１２４−３を通して変調された互いに異なる周波数を有するオーディオ信号が出力されると、オーディオ出力部１３２はコンテンツ１乃至３に対する各々のオーディオ信号を個別的にコンテンツ１乃至３に対応するメガネ装置２００に伝送することができる。
【０１１１】
例えば、オーディオ出力部１３２は、ＲＦ通信方式でコンテンツ１乃至３に対するオーディオ信号を出力することができる。前述したように、コンテンツ１乃至３に対するオーディオ信号は互いに異なる周波数チャネルを有する信号に変調されることができる。従って、オーディオ出力部１３２はコンテンツ１乃至３に対するオーディオ信号と対応する周波数チャネルに各々のオーディオ信号を出力することができる。この場合、メガネ装置２００を着用したユーザはメガネ装置２００に備えられた操作ボタンを用いて周波数チャネルを選択することができる。周波数チャネルの選択に従って、メガネ装置２００はその選択された周波数チャネルを通して出力されるオーディオ信号を受信してスピーカを通して出力することで、ユーザは現在見ているコンテンツに関連したオーディオを聴取することができる。
【０１１２】
別の例として、オーディオ出力部１３２は、無線通信方式であるブルートゥース方式で各々のメガネ装置２００にコンテンツ１乃至３に対するオーディオ信号を出力することができる。具体的には、オーディオ出力部１３２はコンテンツ１乃至３に対するオーディオ信号をブルートゥース通信規格に従うオーディオ信号ストリームに生成する。その後、オーディオ出力部１３２は、各々のオーディオ信号ストリームをインターフェース部１５０を通してペアリングされた複数のメガネ装置２００の識別情報に基づいて、各々のメガネ装置２００に伝送することができる。
【０１１３】
従って、複数のメガネ装置２００は、オーディオ出力部１３２を通して出力されたオーディオ信号ストリームのうち一つのオーディオ信号ストリームを受信してスピーカを通して出力することができる。従って、メガネ装置２００を着用した各々のユーザは、メガネ装置２００に備えられたスピーカを通して現在見ているコンテンツに関連したオーディオを聴取することができる。
【０１１４】
上述した実施形態ではブルートゥース通信方式或いはＲＦ通信方式でオーディオ信号を出力することについて説明したが、これは一例に過ぎず、別の通信方式でオーディオ信号を出力することができるのが好ましい。
【０１１５】
図９は、本発明の一実施形態にかかるオーディオ出力部が単独で構成される別の例示である。
【０１１６】
同図に示すように、オーディオ出力部１３２は単独で構成することができ、この場合、オーディオ出力部１３２はオーディオ処理部１２４から出力された複数のコンテンツに対するオーディオ信号を一つのオーディオ信号ストリームに生成して複数のメガネ装置２００に伝送することができる。具体的には、オーディオ出力部１３２は複数のコンテンツに対するオーディオ信号を時分割方式で組み合わせたオーディオ信号ストリームを生成する。この時、オーディオ出力部１３２は複数のコンテンツに対するオーディオ信号を分割し、各コンテンツの映像フレームの配置パターンと同期化されたパターンで複数のタイムスロットに割り当てて信号ストリームを生成することが好ましい。
【０１１７】
実施形態に従えば、コンテンツ１乃至３が受信されると、第１乃至第３信号処理部１２０−１〜１２０−３は第１乃至第３オーディオ処理部１２４−１〜１２４−３を通してコンテンツ１乃至３に含まれたオーディオデータを互いに異なる周波数チャネルを有するオーディオ信号に変調して出力する。ここで、オーディオ処理部１２４で出力された複数のコンテンツに対するオーディオ信号は、前述したように、オーディオ出力チャネルの個数に応じて２チャネル或いはオーディオ出力チャネルの個数に対応するステレオオーディオ信号に変調されたものである。このように、第１乃至第３オーディオ処理部１２４−１〜１２４−３を通して変調された互いに異なる周波数を有するオーディオ信号が出力されると、オーディオ出力部１３２はコンテンツ１乃至３に対する各々のオーディオ信号を時分割方式で組み合わせたオーディオ信号ストリームを生成する。
【０１１８】
より具体的には、オーディオ出力部１３２はコンテンツ１乃至３に対する各々のオーディオ信号を分割し、ビデオ出力部１３１でマルチコンテンツフレームに組み合わせられる各映像フレームの配置パターンと同期化されたパターンで分割された各々のオーディオ信号を複数のタイムスロットに割当ててオーディオ信号ストリームを生成する。
【０１１９】
このように、コンテンツ１乃至３に対するオーディオ信号が組み合わせられたオーディオ信号ストリームが生成されると、オーディオ出力部１３２はインターフェース部１５０を通してペアリングされた複数のメガネ装置２００の識別情報に基づいて、オーディオ信号ストリームを各々のメガネ装置２００に伝送することができる。このようなオーディオ信号ストリームが受信されると、メガネ装置２００は受信されたオーディオ信号ストリームに含まれたコンテンツ１乃至３に対するオーディオ信号のうちディスプレイタイミングに対応するパターンに割当てられたオーディオ信号のみを抽出してスピーカを通して出力することができる。従って、メガネ装置２００を着用した各々のユーザはメガネ装置２００に備えられたスピーカを通して自分が現在見ているコンテンツに関連したオーディオのみを聴取することができる。
【０１２０】
今まで、本発明にかかる単一コンテンツ又は複数のコンテンツをディスプレイするディスプレイ装置１００の各構成について詳細に説明した。以下では、前述したメガネ装置２００の構成について詳細に説明することにする。
【０１２１】
図１０は、本発明の一実施形態にかかるメガネ装置のブロック図である。
【０１２２】
同図に示すように、メガネ装置２００は複数のコンテンツビューをディスプレイするディスプレイ装置１００と連動する。このようなメガネ装置２００は、インターフェース部２１０、制御部２２０、シャッターグラス駆動部２３０、入力部２４０、第１シャッターグラス部２５０、第２シャッターグラス部２６０、オーディオ出力処理部２７０を含む。
【０１２３】
ディスプレイ装置１００と通信を行うインターフェース部２１０は、一実施形態に従えば、ブルートゥース通信モジュールで実現することができる。この場合、インターフェース部２１０はディスプレイ装置１００とブルートゥース通信を通して伝送パケット形態の同期化信号を受信することができる。ここで、伝送パケットは、コンテンツのディスプレイタイミングに同期化されメガネ装置２００の第１及び第２シャッターグラス部２５０、２６０をオン/オフさせるための時間情報を含む。このような伝送パケットに含まれる情報については上記で詳細に説明したため重複説明を省略することにする。
【０１２４】
制御部２２０は、メガネ装置２００の動作を全般的に制御する。特に、制御部２２０は入力部２４０を通してユーザ命令が入力されると、複数のコンテンツビューのうちユーザ命令によって選択されたコンテンツビューに同期化させて第１及び第２シャッターグラス部２５０、２６０を駆動させるようにシャッターグラス駆動部２３０を制御する。具体的には、入力部２４０を通して複数のコンテンツビューのうち一つのコンテンツビューの選択に関連したユーザ命令が入力されると、制御部２２０は入力されたユーザ命令に対応する同期化信号をディスプレイ装置１００から受信する。すなわち、制御部２２０は入力部２４０を通してユーザ命令が入力される度に、ディスプレイ装置１００で提供する複数のコンテンツビューを順番に選択することができる。具体的には、図２において説明したように、制御部２２０は入力部２４０を通してユーザ命令が入力されると、コンテンツ３に対する同期化信号をディスプレイ装置１００から受信し、ユーザ命令が再度入力されると、コンテンツ４に対する同期化信号をディスプレイ装置１００から受信することができる。このようなユーザ命令に従って同期化信号が受信されると、制御部２２０は受信された同期化信号に基づいて、第１シャッターグラス部２５０及び第２シャッターグラス部２６０を駆動させるようにシャッターグラス駆動部２３０を制御する。
【０１２５】
このような制御命令に従って、シャッターグラス駆動部２３０はディスプレイ装置１００から受信された同期化信号に基づいて駆動信号を生成する。特に、シャッターグラス駆動部２３０は同期化信号に基づいて、ディスプレイ装置１００でディスプレイされる複数のコンテンツのうち一つのコンテンツのディスプレイタイミングに従って、第１シャッターグラス部２５０及び第２シャッターグラス部２５０をオープンさせることができる。
【０１２６】
第１シャッターグラス部２５０及び第２シャッターグラス部２６０は、シャッターグラス駆動部２３０から受信された駆動信号に従ってシャッターグラスをオン又はオフさせる。具体的には、第１シャッターグラス部２５０及び第２シャッターグラス部２６０は、複数のコンテンツのうち一つのコンテンツがディスプレイされる時にシャッターグラスを同時にオープンし、他のコンテンツがディスプレイされる時にシャッターグラスをすべてオフさせる。これにより、メガネ装置２００を着用したユーザは一つのコンテンツに対するビデオ映像を見ることができる。
【０１２７】
一方、３Ｄコンテンツの場合、第１シャッターグラス部２５０及び第２シャッターグラス部２６０は、各々のグラスを交互に開閉することができる。すなわち、駆動信号に従って一つの３Ｄコンテンツを構成する左眼映像がディスプレイされるタイミングに第１シャッターグラス部２５０を開放し、右眼映像がディスプレイされるタイミングに第２シャッターグラス部２６０を開放することができる。入力部２４０はユーザの操作に従って、チャネル変換、ボリューム調整などのようなユーザ操作命令が入力される。一方、オーディオ出力処理部２７０はディスプレイ装置１００から出力されるオーディオ信号を受信してスピーカを通して出力する。ここで、オーディオ信号は前述したように、ディスプレイ装置１００のオーディオ出力チャネルの個数に応じて２チャネル或いはオーディオ出力チャネル個数に対応するステレオオーディオ信号に変調される信号である。
【０１２８】
一実施形態に従えば、入力部２４０を通してユーザからオーディオ周波数チャネルに関連したユーザ命令が入力されると、オーディオ出力処理部２７０はディスプレイ装置１００から出力される複数のオーディオ周波数チャネルの中でユーザ命令に対応するオーディオ周波数チャネルを選局して当該オーディオ周波数チャネルを通して出力されるオーディオ信号をインターフェース部２１０を通して受信することができる。その後、オーディオ出力処理部２７０はインターフェース部２１０を通して受信されたオーディオ信号を可聴音形態に信号処理してスピーカを通して出力する。
【０１２９】
別の実施形態に従えば、オーディオ出力処理部２７０はインターフェース部２１０を通してオーディオ信号ストリームを受信することができる。具体的には、図７の実施形態で説明したように、ディスプレイ装置１００は複数のコンテンツに対するオーディオ信号をオーディオ信号ストリームに生成し、生成された各々のオーディオ信号ストリームを複数のメガネ装置２００の識別情報に基づいて伝送することができる。この場合、オーディオ出力処理部２７０はインターフェース部２１０を通して複数のコンテンツに対するオーディオ信号ストリームのうち一つのオーディオ信号捨てリームを受信するようになる。このようなオーディオ信号ストリームが受信されると、オーディオ出力処理部２７０は該受信したオーディオ信号ストリームに含まれたオーディオ信号を可聴音形態に信号処理してスピーカを通して出力する。
【０１３０】
また別の実施形態に従えば、インターフェース部２１０は複数のコンテンツに対するオーディオ信号が組み合わせられたオーディオ信号ストリームを受信することができる。この場合、オーディオ出力処理部２７０は受信されたオーディオ信号ストリームに含まれたコンテンツ１乃至３に対するオーディオ信号のうち入力部２４０を通して入力されたユーザ命令に対応するオーディオ信号ストリームを可聴音形態に信号処理してスピーカを通して出力する。即ち、オーディオ出力処理部２７０はコンテンツ１乃至３のうち一つのコンテンツがディスプレイされるタイミングと対応するパターンに割当てられたオーディオ信号を抽出し、その抽出されたオーディオ信号を可聴音形態に信号処理してスピーカを通して出力する。
【０１３１】
このようなディスプレイ装置１００から出力されたオーディオ信号をスピーカを通して出力するオーディオ出力処理部２７０は図１１のように構成されてもよい。図１１は、本発明の一実施形態にかかるメガネ装置のオーディオ出力処理部の細部構成図である。
【０１３２】
同図に示すように、メガネ装置２００のオーディオ出力処理部２７０は、オーディオ信号受信部２７１、分配器２７２、駆動部２７３、スピーカ２７４及びオーディオ制御部２７５を含むことができる。
【０１３３】
オーディオ信号受信部２７１は、ディスプレイ装置１００から伝送されたオーディオ信号を受信する。ここで、オーディオ信号は前述したように、オーディオ出力チャネルの個数に応じて２チャネル或いはオーディオ出力チャネルの個数に対応するステレオオーディオ信号に変調された信号である。一実施形態に従えば、オーディオ信号受信部２７１は、ディスプレイ装置１００から複数のコンテンツに対するオーディオ信号が組み合わせられたオーディオ信号ストリームを受信することができる。別の実施形態に従えば、オーディオ信号受信部２７１は、特定チャネルに通信チャネルが割当てられた場合に、当該チャネルと通信インターフェースを行うディスプレイ装置１００のオーディオ出力部によって伝送されたオーディオ信号のみを受信することもできる。即ち、メガネ装置２００がブルートゥース通信方式でディスプレイ装置１００とペアリングをし、ブルートゥース方式でデータを交換していれば、オーディオ信号受信部２７１はディスプレイ装置１００によって割当てられたブルートゥース通信規格に従うチャネルを通して伝送されるオーディオ信号のみを受信することができる。
【０１３４】
分配器２７２は、一つのオーディオ信号ストリームに含まれる複数のオーディオ信号を分離してこれを駆動部２７３に伝達する。分配器２７２は、一つのオーディオ信号ストリームに含まれる複数のオーディオ信号を分離することができ、これは周波数フィルタリングを通した方式で特定周波数を有するオーディオ信号のみを選択することもできる。それだけでなく、分配器２７２は、受信されたオーディオ信号がステレオオーディオ信号の場合、ステレオオーディオ信号の立体音響を実現するための一つ以上のオーディオ信号に分離することもできる。
【０１３５】
駆動部２７３は、分配器２７２によって分離されたオーディオ信号を各々のスピーカが出力するように各々のスピーカ２７４を駆動する。スピーカ２７４は一つ以上のスピーカで構成されてもよい。即ち、オーディオ信号が２チャネルのステレオである場合には、立体音響を実現する必要がないため、一つ以上のスピーカは同一の２チャネルのステレオオーディオを出力する。一方、分離されたオーディオ信号がオーディオ出力チャネル個数に対応するチャネルのステレオである場合には、立体音響を実現する必要があるため、一つ以上のスピーカは互いに異なる立体効果を有するステレオオーディオを出力する。
【０１３６】
オーディオ制御部２７５は、受信されたオーディオ信号が２チャネルのステレオオーディオ信号である場合には、少なくとも一つのスピーカを通して２チャネルのステレオオーディオを出力し、オーディオ出力チャネルの個数に対応するチャネルのステレオオーディオ信号である場合には、複数のスピーカを通して立体音響を出力するように、オーディオ信号受信部、分配器２７２、駆動部２７３及びスピーカ２７４を全般的に制御する。
【０１３７】
一実施形態に従えば、メガネ装置２００はスピーカ２７４を通してステレオオーディオ信号を出力することができる。前述したように、ディスプレイ装置１００はマルチビューモードで予め設定された個数未満のオーディオ出力チャネルを有する場合、オーディオ出力部１３２を通して複数のコンテンツに含まれたオーディオ信号をステレオオーディオ信号に各々出力することができる。この場合、メガネ装置２００のオーディオ信号受信部２７１は、ディスプレイ装置１００のオーディオ出力部１３２を通して出力される複数のステレオオーディオ信号のうち一つのステレオオーディオ信号を受信することができる。このようなステレオオーディオ信号が受信されると、分配器２７２は受信されたステレオオーディオ信号を左側オーディオ信号及び右側オーディオ信号に分離して駆動部２７３に伝達する。左側オーディオ信号及び右側オーディオ信号に分離されたオーディオ信号が駆動部２７３に伝達されると、駆動部２７３は第１及び第２駆動部２７３−１、２７３−２を通して左側オーディオ信号及び右側オーディオ信号をスピーカ２７４に伝達することができる。これにより、第１及び第２スピーカ２７４−１、２７４−２は第１及び第２駆動部２７３−１、２７３−２を通して伝達された左側オーディオ信号及び右側オーディオ信号を可聴音に出力することにより、ステレオオーディオ信号を出力することができる。
【０１３８】
本実施形態では、駆動部２７３が第１及び第２駆動部２７３−１、２７３−２で構成されるものとしたが、これに限定されず、駆動部２７３は単独で実現されてもよい。一般的に、左/右サブスピーカを通して左側オーディオ信号及び右側オーディオ信号を出力し、メインスピーカによってメインオーディオ信号を出力し、このような方式は２.１チャネル方式である。図１１では２つの左/右スピーカのみを示しているが、これは左側オーディオ信号及び右側オーディオ信号をそれぞれ出力可能であることを例示的に示していることが好ましい。
【０１３９】
別の実施形態に従えば、メガネ装置２００はスピーカ２７４を通して２チャネルのステレオオーディオ信号を出力することができる。前述したように、ディスプレイ装置１００のオーディオ出力部１３２はマルチビューモードで予め設定された個数以上のオーディオ出力チャネルを有する場合、第１乃至第３信号処理部１２０−１〜１２０−３に含まれた第１乃至第３オーディオ処理部１２４−１〜１２４−３を通して２チャネルのステレオオーでイオ信号に適合するように縮小変換された各々のオーディオ信号を一つのオーディオストリームに出力することができる。
【０１４０】
この場合、メガネ装置２００のオーディオ信号受信部２７１は、オーディオ出力部１３２を通して出力された複数のオーディオ信号を含むオーディオ信号ストリームを受信する。複数のオーディオ信号が含まれたオーディオ信号ストリームが受信されると、分配器２７２は受信されたオーディオ信号ストリームに含まれた複数のオーディオ信号を分離する。分配器２７２は分離された複数のオーディオ信号のうち同期化された信号に従って左眼及び右眼シャッターグラスがオープンするタイミングに対するオーディオ信号を駆動部２７３に伝達する。従って、スピーカ２７４は駆動部２７３から同期化された信号に従って左眼及び右眼シャッターグラスがオープンするタイミングに対応するオーディオ信号を受けて２チャネルのステレオオーディオ信号に出力することができる。
【０１４１】
今まで、本発明にかかるメガネ装置の各構成について詳細に説明した。以下では、図１で前述した入力装置３００の構成について詳細に説明することにする。
【０１４２】
図１２は、本発明の一実施形態にかかる入力装置のブロック図である。
【０１４３】
同図に示すように、入力装置３００は、無線通信部３１０、保存部３２０、入力部３３０、及び入力制御部３４０を含む。
【０１４４】
無線通信部３１０は、ディスプレイ装置１００と無線通信で接続される。無線通信部３１０は、ＲＦ方式又はＩＲ方式でデータを送受信又は送信することができる。この時、入力装置３００の無線通信方式がＩＲ方式の場合には入力装置３００からディスプレイ装置１００に単方向」の無線通信が行われ、その一方、入力装置３００の無線通信方式がＲＦ方式の場合には入力装置３００とディスプレイ装置１００との間の両方向無線通信が行われる。ＲＦ方式は、無線ＬＡＮ、ブルートゥースなどの両方向無線通信で実現されることができる。
【０１４５】
識別情報保存部３２０は、入力装置３００固有の識別情報を保存する。この場合、固有の識別情報は装置のＩＤ（Ｉｄｅｎｔｉｆｉｃａｔｉｏｎ）を意味し、これはＲＦ方式の入力装置の場合に該装置を他装置と区別することのできる各種の識別情報を意味する。もし、入力装置がＩＲ方式の場合には識別情報保存部３２０が省略されてもよい。
【０１４６】
入力部３３０は、ディスプレイ装置を制御するための制御命令を入力するための入力手段である。即ち、入力部３３０は複数のボタンで構成されてよく、複数のボタンは個別的な機能を行う機能キーである。入力部３３０は、電子式ボタン、機械式ボタン、静電気式ボタンのうちいずれか一つの方式であるか、これらの組み合わせで実現されてもよい。
【０１４７】
入力制御部３４０は、保存部３２０に保存された固有識別情報を無線通信部３１０を通してディスプレイ装置１００に伝送してペアリングを行うために、保存部３２０と無線通信部３１０を制御する。入力制御部３４０は、入力装置３００がディスプレイ装置とペアリングが行われた状態で入力部３３０を通して制御命令が入力されると、制御命令をディスプレイ装置１００に無線通信部３１０を通して伝送するように無線通信部３１０を制御する。即ち、入力制御部３４０は入力装置３００の全般的な動作を制御する機能を行い、ユーザが遠隔で複数のコンテンツビューのうち一つの出力動作を制御することができるようにする。
【０１４８】
今まで、本発明にかかるディスプレイ装置１００、メガネ装置２００及び入力装置３００の各構成に対する動作について詳細に説明した。以下では、複数のコンテンツに対するビデオデータをディスプレイするディスプレイ装置において、複数のコンテンツに対するオーディオデータを出力する方法について詳細に説明することにする。
【０１４９】
図１３は、本発明の一実施形態にかかるディスプレイ措置で複数のコンテンツに対するビデオデータをディスプレイする方法のフローチャートである。
【０１５０】
同図に示すように、互いに異なる複数のコンテンツを受信するディスプレイ装置は、ユーザからシングルビューモード選択命令及びマルチビューモード選択命令のうち一つのモード選択命令の入力を受ける（Ｓ１１１０）。このようなモード選択命令が入力されると、ディスプレイ装置は入力されたモード選択命令がマルチビューモード選択命令であるかをチェックする（Ｓ１１２０）。チェックの結果、シングルビューモード選択命令であれば、ディスプレイ装置は互いに異なる複数のコンテンツのうち入力されたシングルビューモード選択命令に対応するコンテンツのみ受信する。一方、チェックの結果、マルチビューモード選択命令であれば、ディスプレイ装置は複数の受信部を通して互いに異なる複数のコンテンツを受信する（Ｓ１１３０）。
【０１５１】
しかし、本発明はこれに限定されず、ディスプレイ装置は複数の受信部を通して受信されるコンテンツの受信状態に応じて、シングルビューモード又はマルチビューモードに自動設定することができる。例えば、複数の受信部のうち一つの受信部からコンテンツが受信される場合、ディスプレイ装置はシングルビューモードに自動設定し、複数の受信部のうち２つ以上のコンテンツが受信される場合、ディスプレイ装置はマルチビューモードに自動設定することができる。
【０１５２】
シングルビューモードに従って、受信部を通して受信される一つのコンテンツに含まれるデータを信号処理して出力する技術は公知された技術であるため、詳細な説明は省略することにする。本発明では、マルチビューモードに従って、複数の受信部を通して受信される複数のコンテンツに含まれる各々のデータをディスプレイ可能な形態に信号処理して出力する動作について詳細に説明することにする。
【０１５３】
マルチビューモードに従って、複数の受信部を通して互いに異なる複数のコンテンツが受信されると、ディスプレイ装置はビデオデータを検出し、その検出されたビデオデータをディスプレイ可能な形態に信号処理する（Ｓ１１４０）。このように、複数のコンテンツの各々に含まれたビデオデータを検出して信号処理する動作については上記で詳細に説明したため、重複説明は省略することにする。
【０１５４】
このような各々のコンテンツのビデオデータに対する信号処理が完了すると、ディスプレイ装置は信号処理された各々のビデオデータを映像フレーム単位で組み合わせられるように配置してディスプレイする（Ｓ１１５０）。具体的には、ディスプレイ装置は信号処理された各々のビデオデータに対する映像フレームを組み合わせてマルチコンテンツフレームをディスプレイする。ここで、マルチコンテンツフレームは、複数のユーザが複数のコンテンツをそれぞれ見ることができるように構成されるフレームデータを意味する。このようなマルチコンテンツフレームがディスプレイされると、ディスプレイ装置は各コンテンツのディスプレイタイミングに従って、各コンテンツに対応するメガネ装置に同期化信号を生成して伝送する。このように、ディスプレイ装置は各々のメガネ装置に同期化信号を伝送するために各々のメガネ装置とペアリングされていることが好ましい。各々のメガネ装置とペアリングされるいる場合、ディスプレイ装置は生成された同期化信号を無線通信規格に従う伝送パケットに生成してペアリングされたメガネ装置に伝送することができる。
【０１５５】
しかし、本発明はこれに限定されず、ディスプレイ装置は相違なる周波数チャネル有するＩＲ同期化信号又はＲＦ同期化信号を各々のメガネ装置に伝送することができる。
【０１５６】
このような方式を通して同期化信号を受信したメガネ装置は、受信した同期化信号に対応するディスプレイタイミングに従って、左眼及び右眼シャッターグラスをオン/オフさせることで、メガネ装置を着用したユーザは複数のコンテンツのうち一つのコンテンツに対するビデオ映像を見ることができる。このようなメガネ装置の構成及び動作は上記で詳細に説明したため重複説明は省略することにする。
【０１５７】
図１４は、本発明の一実施形態にかかるディスプレイ装置において複数のコンテンツに含まれたオーディオデータを出力する方法のフローチャートである。
【０１５８】
同図に示すように、複数の受信部を通して互いに異なる複数のコンテンツが受信されると、ディスプレイ装置は受信した複数のコンテンツに含まれたオーディオデータを検出する（Ｓ１２１０）。各々のコンテンツに対するオーディオデータが検出されると、ディスプレイ装置は複数の信号処理部に含まれたオーディオ処理部を通して、各々のコンテンツに対するオーディオデータをメガネ装置で出力可能な形態に信号処理する（Ｓ１２２０）。具体的には、ディスプレイ装置はマルチビューモーでにおいて処理される各コンテンツのオーディオデータが予め設定された個数以上の出力チャネルを有するデータであれば、各コンテンツのオーディオデータを２チャネルのオーディオ信号に信号処理する。例えば、図５において説明したように、ディスプレイ装置は５.１チャネルを通して６個のスピーカ（センター５１０、ウーファー５２０、左右フロント５３０−１、５３０−２、左右リア５４０−１、５４０−２）にオーディオ信号を出力することができる。この場合、ディスプレイ装置は５.１チャネルのうち特定チャネル（例えば、左右フロント５３０−１、５３０−２と対応するチャネル）に対するオーディオデータのみを信号処理する。すなわち、ディスプレイ装置は５.１チャネルのうち特定チャネル（左右フロント５３０−１、５３０−２）に対するオーディオデータにのみ加重平均（Ｗｅｉｇｈｔｅｄ  Ａｖｅｒａｇｅ）を適用した後に信号処理する。従って、ディスプレイ装置は５.１チャネルのうち２チャネル、すなわち、左フロント５３０−１及び右フロント５３０−１を通して出力されるオーディオ信号に加重平均を適用して出力することができる。
【０１５９】
一方、マルチビューモードにおいて処理される各コンテンツのオーディオデータがあらかじめ設定された個数未満のオーディオ出力を有するデータであれば、ディスプレイ装置は各コンテンツのオーディオをステレオオーディオ信号に信号処理する。
【０１６０】
その後、ディスプレイ装置は各オーディオ処理部から信号処理された各々のコンテンツに対するオーディオ信号を、オーディオ出力部を通して複数のコンテンツに対応する複数のメガネ装置に伝送する（Ｓ１２３０）。従って、複数のメガネ装置は複数のコンテンツうち一つのコンテンツに対するステレオオーディオ信号をスピーカを通して出力することができる。具体的には、前述したステップＳ１２２０において信号処理された各コンテンツに含まれたオーディオデータに対するオーディオ信号がステレオオーディオ信号であれば、複数のメガネ装置は複数のコンテンツのうち一つのコンテンツに対するステレオオーディオ信号をスピーカを通して出力することができる。このように、メガネ装置に備えられたスピーカを通してステレオオーディオを出力する技術は上記で詳細に説明したため、以下では詳細な説明について省略することにする。
【０１６１】
一方、前述したステップＳ１２２０において信号処理された各コンテンツに含まれたオーディオデータに対するオーディオ信号が２チャネルのステレオオーディオ信号であれば、ステップＳ１２３０においてディスプレイ装置は各コンテンツ毎に信号処理された２チャネルのステレオオーディオ信号を一つのオーディオ信号ストリームに生成して複数のメガネ装置に伝送することができる。この場合、複数のメガネ装置は受信したオーディオ信号ストリームに含まれた各コンテンツ毎のオーディオ信号を分離し、分離されたオーディオ信号のうち同期化信号に従って左眼及び右眼シャッターグラスがオープンするタイミングに対応するオーディオ信号を、スピーカを通して２チャネルのステレオオーディオ信号に出力することができる。
【０１６２】
一方、本発明にかかるディスプレイ装置は、次のような実施形態を通して複数のコンテンツに含まれたオーディオデータ別のオーディオ信号をメガネ装置に伝送することができる。
【０１６３】
一実施形態に従えば、ディスプレイ装置は図７において説明したように、複数のオーディオ信号と対応する複数のオーディオ出力部を通して複数のコンテンツのオーディオ信号を複数のコンテンツに対応する複数のメガネ装置に伝送することができる。例えば、コンテンツ１乃至３に含まれたオーディオデータ別オーディオ信号が出力されると、ディスプレイ装置は第１乃至第３オーディオ出力部を通してコンテンツ１乃至３に対する各々のオーディオ信号をコンテンツ１乃至３と対応するメガネ装置に伝送することができる。
【０１６４】
このような第１乃至第３オーディオ出力部は、無線通信方式であるブルートゥース通信方式或いはＲＦ通信方式を通して各々のメガネ装置にコンテンツ１乃至３に対するオーディオ信号を伝送することができる。このように、第１乃至第３オーディオ出力部を通して複数のメガネ装置にコンテンツ１乃至３に対するオーディオ信号を伝送する方法は、上記で詳細に説明したため重複説明は省略することにする。
【０１６５】
別の実施形態に従えば、ディスプレイ装置は、図８において説明したように、一つのオーディオ出力部を通して複数のコンテンツのオーディオ信号を個別的に伝送することができる。前述したように、コンテンツ１乃至３に対するオーディオ信号は互いに異なる周波数チャネルを有する信号に変調されることができる。従って、ディスプレイ装置はオーディオ出力部を通してコンテンツ１乃至３に対するオーディオ信号と対応する周波数チャネルに各々のオーディオ信号を出力することができる。この場合、メガネ装置を着用したユーザはメガネ装置に備えられた操作ボタンを用いて周波数チャネルを選択することができる。周波数チャネルの選択に応じて、メガネ装置はその選択された周波数チャネルを通して出力されるオーディオ信号を受信してスピーカを通して出力することで、ユーザは現在見ているコンテンツに関連したオーディオを聴取することができる。
【０１６６】
一方、このようなオーディオ出力部は無線通信方式であるブルートゥース通信方式で各々のメガネ装置にコンテンツ１乃至３に対するオーディオ信号を出力することができる。具体的には、オーディオ出力部はコンテンツ１乃至３に対するオーディオ信号をブルートゥース通信規格に従うオーディオ信号ストリームに生成する。その後、オーディオ出力部は生成した各々のオーディオ信号ストリームをペアリングされた複数のメガネ装置の識別情報に基づいて各々のメガネ装置に伝送することができる。従って、複数のメガネ装置はオーディオ出力部を通して出力されたオーディオ信号ストリームのうち一つのオーディオ信号ストリームを受信してスピーカを通して出力することができる。従って、メガネ装置を着用した各々のユーザはメガネ装置に備えられたスピーカを通して自分が現在見ているコンテンツに関連したオーディオを聴取することができる。
【０１６７】
また別の実施形態に従えば、ディスプレイ装置は、図９において説明したように、一つのオーディオ出力部を通して複数のコンテンツのオーディオ信号を一つのオーディオ信号ストリームに生成して複数のメガネ装置に伝送することができる。具体的には、ディスプレイ装置はオーディオ出力部を通して複数のコンテンツに対するオーディオ信号を時分割方式で組み合わせたオーディオ信号ストリームを生成することができる。この時、ディスプレイ装置はオーディオ出力部を通して複数のコンテンツに対するオーディオ信号を分割し、各コンテンツの映像フレームの配置パターンと同期化されたパターンで複数のタイムスロットに割り当ててオーディオ信号ストリームを生成する。このように、複数のコンテンツに対するオーディオ信号を時分割方式で組み合わせて一つのオーディオ信号ストリームに生成するオーディオ出力部は、無線通信プロトコールに従って複数のメガネ装置と通信を行う。例えば、オーディオ出力部は無線通信方式であるブルートゥース通信方式を通して複数のメガネ装置と通信を行うことができる。この場合、複数のメガネ装置はディスプレイ装置とペアリングされていることが好ましい。
【０１６８】
従って、ディスプレイ装置はブルートゥース通信方式で複数のメガネ装置と通信を行うオーディオ出力部を通してオーディオ信号ストリームを各々のメガネ装置に伝送することができる。このようなオーディオ信号ストリームが受信されると、メガネ装置は受信されたオーディオ信号ストリームに含まれた複数のコンテンツに対するオーディオ信号のうちディスプレイタイミングに対応するパターンに割当てられたオーディオ信号のみを抽出してスピーカを通して出力することができる。従って、メガネ装置を着用した各々のユーザはメガネ装置に備えられたスピーカを通して自分が現在見ているコンテンツに関連したオーディオのみを聴取することができる。
【０１６９】
一方、上述した本発明の多様な実施形態において、オーディオ出力部を通して出力される複数のコンテンツに対する各々のオーディオ信号は、前述したように、オーディオ出力チャネルの個数に応じて２チャネル或いはオーディオ出力チャネルに対応するチャネルのステレオオーディオ信号に変調されたものである。なお、上述した本発明の多様な実施形態にかかる方法を行うためのプログラムは多様な類型の記録媒体に保存されて使用することができる。
【０１７０】
具体的には、上述した方法を行うためのコードは、ＲＡＭ（Ｒａｎｄｏｍ  Ａｃｃｅｓｓ  Ｍｅｍｏｒｙ）、フラッシュメモリー、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、レジスタ、ハードディスク、リムバブルディスクメモリーカード、ＵＳＢメモリー、ＣＤ−ＲＯＭなどのように、端末機で読み取り可能な多様な類型の記録媒体に保存することができる。
【０１７１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１７２】
１１０  受信部
１１１  第1受信部
１１２  第２受信部
１１３  第３受信部
１２０  信号処理部
１２０−１  第１信号処理部
１２０−２  第２信号処理部
１２０−３  第３信号処理部
１２１−１  第１デマルチプレクサ
１２２−１  第１付加データ処理部
１２３−１  第１ビデオ処理部
１２４  オーディオ処理部
１２４−１  第１オーディオ処理部
１２４−２  第２オーディオ処理部
１２４−３  第３オーディオ処理部
１２５−１  第１フレームレート変換部
１３０  出力部
１３１  ビデオ出力部
１３２  オーディオ出力部
１３２−１  第１オーディオ出力部
１３２−２  第２オーディオ出力部
１３２−３  第３オーディオ出力部
１４０  同期化信号生成部
１５０  インターフェース部
１６０  制御部
２１０  インターフェース部
２２０  制御部
２３０  シャッターグラス駆動部
２４０  入力部
２５０  第１シャッターグラス部
２６０  第２シャッターグラス部
２７０  オーディオ出力処理部
２７１オーディオ信号受信部
２７２  分配器
２７３−１  第１駆動部
２７３−２  第２駆動部
２７４−１  第１スピーカ
２７４−２  第２スピーカ
２７５  オーディオ制御部
３１０  無線通信部
３２０  保存部
３３０  入力部
３４０  入力制御部
５１０  センター
５２０  ウファー
５３０−１  左フロント
５３０−２  右フロント
５４０−１  左リア
５４０−２  右リア
５５０−１  左ミディアム
５５０−２  右ミディアム
５６０−１  第１加重値部
５６０−２  第２加重値部
５７０−１  左フロント
５７０−２  右フロント
【図１】
2013140354.tif 000003
【図２】
2013140354.tif 000004
【図３】
2013140354.tif 000005
【図４】
2013140354.tif 000006
【図５】
2013140354.tif 000007
【図６】
2013140354.tif 000008
【図７】
2013140354.tif 000009
【図８】
2013140354.tif 000010
【図９】
2013140354.tif 000011
【図１０】
2013140354.tif 000012
【図１１】
2013140354.tif 000013
【図１２】
2013140354.tif 000014
【図１３】
2013140354.tif 000015
【図１４】
2013140354.tif 000016